(57)【要約】      （修正有）【課題】高コスト化することなく機械製本が可能であるにもかかわらず、従来にはない形態的インパクトを有し、かつ読みやすい新たな機械製本書籍を提供する。【解決手段】丸背３で構成された本体２と、本体２は背において背部材と接着され、背部材は本体２の面部分へ背から延長して接着され、かつ背部材は書籍の開閉方向に対して伸縮性を有しており、芯紙を有さない一枚の用紙から構成され、小口方向及び／又は天地方向に突出した本体寸法より大きな表紙９を有し、表紙９の少なくとも１つの小口側及び／又は天地側が内側へ折り返されており、本体２と表紙９は、背に近接した位置に、長手方向に直線状に接着されており、全面は接着されておらず開閉可能であることからなる。【選択図】図１
0003187371.tif 000002
【実用新案登録請求の範囲】
【請求項１】
丸背で構成された本体と、
本体は背において背部材と接着され、背部材は本体の面部分へ背から延長して接着され、かつ背部材は書籍の開閉方向に対して伸縮性を有しており、
芯紙を有さない一枚の用紙から構成され、小口方向及び／又は天地方向に突出した本体寸法より大きな表紙を有し、表紙の少なくとも１つの小口側及び／又は天地側が内側へ折り返されており、
本体と表紙は、背に近接した位置に、長手方向に直線状に接着されており、全面は接着されておらず開閉可能であることを特徴とする丸背を有する機械製本書籍。
【請求項２】
本体が、本文と見返し紙からなることを特徴とする請求項１に記載の機械製本書籍。
【請求項３】
見返しが表紙側のきき紙と本文側の遊び紙からなり、本文の開始頁側および終頁側に各々一対として設けられていることを特徴とする請求項１又は２に記載の機械製本書籍。
【請求項４】
本体の背と表紙が接着されていないことを特徴とする請求項１から３のいずれか１項に記載の機械製本書籍。
【請求項５】
本体と表紙との間の接着位置が、背部材から５ミリ以内の範囲で直線状になされていることを特徴とする請求項１から４のいずれか１項に記載の機械製本書籍。
【請求項６】
表紙の天地側が折り返されて接着されており、小口側は接着されず折り返されていることを特徴とする請求項１から５のいずれか１項に記載の機械製本書籍。
【請求項７】
表紙の天地側及び／又は小口側にチリが設けられていることを特徴とする請求項１から６のいずれか１項に記載の機械製本書籍。
【請求項８】
背部材が、皺紙からなることを特徴とする請求項１から７のいずれか１項に記載の機械製本書籍。
【請求項９】
背部材は、ＰＵＲ糊によって接着されていることを特徴とする請求項１から８のいずれか１項に記載の機械製本書籍。
【考案の詳細な説明】
【技術分野】
【０００１】
本考案は、書籍に関する。より具体的には、同一書籍の多部数発行のために機械製本されて発行される、丸背かつフランス装（小口折りを含む）を有する書籍に関する。なお、本願において書籍とは、本、書物、図書、雑誌、パンフレットなどを広く含む概念である。
【背景技術】
【０００２】
現在、書籍には様々な形式のものが存在するが、製本形式により分けると、上製本と並製本が存在する。
【０００３】
上製本は、ハードカバー（堅表紙）とも呼ばれる製本形式であり、表紙はたとえばボール紙などの芯紙を表紙用紙で包んで構成され、本文よりも表紙が一回り大きい寸法で製造される。本文と見返しのきき紙は全面的に接着して製本される。表紙と本文の寸法との差の部分は「チリ」と呼ばれる。上製本の背の形状には、平らな背で構成される角背と、背と小口が丸みを帯びて構成された丸背とが存在する。
丸背の場合、上製ラインにより丸み出し行程を必要とするが、より高級感を出すことが出来る。背の構成としても、フォローバック、タイトバック、フレキシブルバックなどが存在する。上製本は比較的高価になるため、より効率的に製造する技術などが公開されている（例えば、特許文献１参照。）。上製本は、本文よりも大きく堅い表紙を有し、頑丈であるために長期保存に適し、百科事典や辞書などによく使用される。
【０００４】
一方、並製本は、ソフトカバーとも呼ばれる製本形式であり、表紙には芯紙は使用されず、本文と同寸法で仕上げられる。製本工程では、本文と表紙が同時に仕上げられ、背は角背のみとなる。並製本は、製造工程が短く安価であるため、雑誌や廉価な文庫本などに好んで用いられる。
【０００５】
以上の通り、製本形式には上製本と並製本が存在し、製造機械及び製造ラインは明確に区別されている。このため、上製本には上製ラインを利用し、並製本には並製ラインを使用せざるを得ない。そのため、上記以外の製本形式として、例えば表紙自体が本文寸法より大きく仕上げ、天地または小口を折り返した、デザインの自由度の高い表紙（フランス装などと呼ばれる）を使用した製本形式が知られているが、これらは並製ラインによって製造された場合、角背に限定される。一方、仮に上製ラインを使用した場合、見返しと表紙は全面的に接着されるが、これでは表紙の裏側（内側）を閲覧することは不可能であり、フランス装の特徴である表紙の自由度及び美観が大きく損なわれる。すなわち、いわゆる新書や文庫本など、数百冊〜数百万冊以上の同一物の量産が必要不可欠である機械製本書籍については、製本形式により形態が特定されてしまうために、新たな形態的特徴を付加することが難しい。
【０００６】
しかしながら、現在、出版業界においては、電子書籍などが認知されてきたこともあり、将来的に製本書籍の需要が減少することが危惧されている。さらに、量販のために同一物が多部数発行される製本書籍に関して、さらなるコストダウンが要求され、製本環境は厳しさを増している。
【０００７】
したがって、高コスト化することなく、従来にはない形態上のインパクトを有し、かつ読みやすい新たな機械製本書籍を提供する必要性が生じている。
【先行技術文献】
【特許文献】
【０００８】
【特許文献１】特開２０１３−７１３０７号公報
【考案の概要】
【考案が解決しようとする課題】
【０００９】
そこで、本考案の目的は、高コスト化することなく機械製本が可能であるにもかかわらず、従来にはない形態的インパクトを有し、かつ読みやすい新たな機械製本書籍を提供することを目的とする。
【課題を解決するための手段】
【００１０】
上記目的を達成するため、本考案は、機械製本書籍であって、
丸背で構成された本体と、
本体は背において背部材と接着され、背部材は本体の面部分へ背から延長して接着され、かつ背部材は書籍の開閉方向に対して伸縮性を有しており、
芯紙を有さない一枚の用紙から構成され、小口方向及び／又は天地方向に突出した本体寸法より大きな表紙を有し、表紙の少なくとも１つの小口側及び／又は天地側が内側へ折り返されており、
本体と表紙は、背に近接した位置に、長手方向に直線状に接着されており、全面は接着されておらず開閉可能であることからなる。
【００１１】
また、本体が、本文と見返し紙からなることが好適である。
また、見返しが表紙側のきき紙と本文側の遊び紙からなり、本文の開始頁側および終頁側に各々一対として設けられていることが好適である。
また、本体の背と表紙が接着されていないことが好適である。
また、本体と表紙との間の接着位置が、背部材から５ミリ以内の範囲で直線状になされていることが好適である。
また、表紙の天地側が折り返されて接着されており、小口側は接着されず折り返されていることが好適である。
また、表紙の天地側及び／又は小口側にチリが設けられていることが好適である。
また、背部材が、皺紙からなることが好適である。
また、背部材は、ＰＵＲ糊によって接着されていることが好適である。
【００１２】
すなわち、本考案者は、上製本及び並製本のいずれとも異なり、読みやすく、かつ製本デザインの自由度及び美観に優れ、新たな機械製本書籍を提供すべく鋭意研究を行った。その結果、丸背を有し、かつ１枚の用紙で構成された表紙は本文寸法より大きく、小口側及び／又は天地側で折り返され、かつ見返しが表紙に対して本文頁と同様に開閉可能であり、さらに好ましくはフォローバック型で書籍の開きがよく、手になじみやすく、かつデザイン自由度が高く高級感のある、これまでに存在しない新たな機械製本書籍を提供することを可能にしたものである。
【００１３】
より詳細に説明すると、本考案の機械製本書籍は、無線綴じかつ丸背で構成される。このため、角背より外観の美しさを備えることが出来る。また、上製ラインで使用される丸み出し器具を使用することが出来るため、Ｒの大小にかかわらず、所望のＲの丸背で製本することが可能である。
【００１４】
表紙は、芯紙を有さない一枚の用紙から構成され、本体の寸法よりも小口方向及び／又は天地方向に寸法が大きく、表紙の小口側及び／又は天地側が内側へ折り返される。折り返された小口側及び／又は天地側は、接着しても良いが、表紙の裏側を見せるという利点を活用するためには、少なくとも小口側は接着されていないことが好ましい。所謂フランス装（小口折りを含む）などと呼ばれる表紙であり、表紙の裏面全体に模様や写真を印刷するなど、表紙自体をデザインの一部として把握することが可能で、インパクトの強い書籍を提供することが出来る。なお、表紙は、コート紙、光沢紙、厚手の上質紙など、表紙に適した様々な用紙を選択することが可能であり、本考案の目的を達する限り、特に限定されるものではない。折り返しの大きさやデザインなども、本考案の目的を達する限り、特に制限されず、片側小口のみ折り返す構成としたり、ハート型の折り返しを設けるなど様々なデザインを採択することが可能であり、従来の機械製本書籍と比べ、差別化を図ることが出来る。
【００１５】
本体は、本文のみで構成されても良いが好ましくは、表紙に対する着目度を上げ上製本のような高級感を演出するため、少なくとも１枚の見返し紙が設けられることが好適である。すなわち、本願において本体とは、本文か、又は本文と見返し紙からなるものである。
より好ましくは、見返し紙は、きき紙と遊び紙とからなり、本文の開始頁側および終頁側に各々一対として設けられることが好適である。これにより、本文を保護し書籍の高級感をさらに演出する。見返し紙は、一般的には、本文よりも厚く坪量の大きい上質紙などが用いられ、きき紙と遊び紙は１枚の用紙を２つ折りにして用いられる（ただし、本考案はこの構成のみに限定されるものではない）。本体は、背において背部材と接着される。また、背部材は、背部分だけでなく、本体の面部分にまで若干延長してくるむように接着されることで、強度を増すことが可能である。背部材は書籍の開閉方向（横目）に伸縮性を有している素材、皺紙、和紙、又は不織布など各種の用紙を用いることが可能であるが、伸縮性と強度の観点から、皺紙が好ましい。これにより、本体がしっかりと接着されつつも、開閉を繰り返しても強度が落ちることがなく、より長期に使用することが可能となる。
【００１６】
本体と表紙は、背に近接した位置に、長手方向に直線状に接着されており、全面は接着されておらず開閉可能である。したがって、本体（従来技術においてはきき紙）が全面的に表紙に接着されている上製本と異なり、表紙の裏側を読者が見ることが可能となるため、書籍デザインのバリエーションが大きく広がるものである。接着は、背部材を隠すため、好ましくは背部材から５ミリ以内の範囲で直線状になされていることが好適である。この位置で接着されることにより、表紙を開いても背部材が見えることがなく、また表紙の表側に凹凸が生じにくく、美観的にも機能的にも好ましいためである。また、本考案の目的を達する限り、直線の位置・太さ・長さは限定されず、接着剤の性質や書籍の厚さに応じて、適宜選択されるものである。なお、書籍の天地数ミリ部分は、一般的には接着剤は塗布されない。
【００１７】
本考案において、背はタイトバックとすることも可能ではあるが、表紙と本体は直線上に接着されており、背は表紙と接着されないことがより好適である。これにより、フォローバック型の書籍となる。フォローバック型とすることにより、開きがよく耐久性が高いというメリットを享受でき、丸背と相俟って、美観的にもより高級感を演出することが出来、フランス装表紙の構成の利点を最大限利用することが出来るからである。
【００１８】
本考案で使用される接着剤として、水溶性糊，ＥＶＡ(Ethylene Vinyl Acetate )エマルジョンやＰＵＲ（Poly Urethane Reactive）などのホットメルト系糊など、公知の各種の糊を使用することが可能であるが、耐久性に優れ接着力が強く、書籍の開きが良いＰＵＲ系の糊を使用することがより好適である。
【００１９】
製本行程としては、上製本の仕様と同様に、角背状である本体の背に糊を塗布し、丸みだし行程により丸背状態とする。
そして、背部材を接着する。背部材は本体の面部分へ背から延長して接着されるが、本体の面部分にも糊（背の接着剤と同一の糊でなくても良い。）が塗布されて全面的にしっかりと接着される。その後、上製ライン上にノズル式の糊付け装置を追加して設置しておき、両側から縦目に沿って直線上に糊付けを行う。この時、背部材から５ミリ以内の範囲で接着剤を塗布することで、表紙を開いたときに皺紙が見えることがないためより好適である。そして、必要であれば表紙を摘み本体へスイングさせるフィンガー装置を設けて、表紙を上方から本体へ提供し、本体を持ち上げて表紙を押圧して上記糊付け部と接着する。したがって、本体より寸法の大きな表紙を使用することが可能である。このような治具及び上製ラインの行程を経ることにより、同一の上製ライン上で、これまでは不可能であった本考案の製本書籍を作成することが可能である。なお、上製ラインを使用して製造することが可能であるため、同ライン上で栞の紐や花布などを追加することが可能である。
【考案の効果】
【００２０】
上記の構成により、ソフトカバーであるにも関わらず、丸背で構成され、外観上美しく、書籍の開きもよく、指触りもよく、高級感のある構成を採用することが可能である。また、上製本に比して、表紙に芯紙が必要となることもないため、費用的に高額となることがない。
【００２１】
さらに、本体の背固めには好ましくは PUR 糊を使用し、更に伸縮性の高い皺紙が利用されることで、伸びが良いので丸みを出すのに適している。そのため、より美しい丸みを出すことが可能である。
【００２２】
書籍の側面のみで糊付けされる事で、好ましくは書籍の背と表紙を接着する必要がなく、此れがために、上製本のフォローバックの利点である本の開きが良く読みやすいという効果を享受出来る。
【００２３】
本文よりも寸法の大きい、様々な寸法の表紙（小口折り表紙も含む）を採用することが出来るので、ソフトカバーであるにもかかわらず、天地側、小口側共に十分なチリを付ける事が出来、上製本の様な高品質な外観を奏することが可能である。さらに表紙の裏側についても、デザインの一部として利用することが可能である。また、表紙自体についても、例えば、小口の折り返し部にハート型を設けるなど、種々のデザインが可能である。
【図面の簡単な説明】
【００２４】
【図１】本考案の実施の一例を示す図である。
【図２】本考案の別の実施の一例を示す図である。
【図３】本考案の実施の一例を示す断面図である。
【図４】本考案の本体と背部材を示す図である。
【図５】本考案の製造行程の一部を示す図である。
【考案を実施するための形態】
【００２５】
以下、本考案の実施の一例を図面にしたがって説明する。図１は、本考案の実施の一例を示す図である。図２は、図１とは別の実施の一例を示す図である。図３は、本考案の実施の一例を示す断面図である。図４は、本考案の本体と背部材を示す図である。図５は本考案の製造行程の一部を示す図である。
【００２６】
図に示すように、本考案の機械製本書籍１は、本体２の背が丸背３で構成されている。そして、二つ折りにされ表紙側のきき紙４と本文７側の遊び紙５からなり、本文７の開始頁側および終頁側に各々設けられた一対の見返し紙６とを有している。
【００２７】
そして、本文７と一対の見返し６は背において背部材８と接着され、背部材８は一対の見返し６のきき紙４の面部分へ背から延長してＰＵＲ糊で接着されている。皺紙で構成された背部材８は書籍の開閉方向に対して伸縮性を有しているため、開閉がより容易である。
【００２８】
表紙９は、芯紙を有さない一枚のソフトカバー用紙によって構成され、本文７および見返し６に対して小口方向及び天地方向に突出しており、表紙９の小口側１０及び／又は天地側１１は内側へ折り返されている。実施の形態によって、小口側１０及び／又は天地側１１が接着されるが、図１の例では、天地側１１が接着されている。表紙９は折り返された状態でも本文より寸法が大きく、小口側１０及び天地側１１にチリが設けられている。
【００２９】
一対の見返し６のきき紙４と表紙９は、背に近接した位置に、長手方向に直線状に接着されているため、全面は接着されておらず開閉可能である。さらに、背と表紙９が接着されていないため、フォローバック型となっており、書籍の開きが良い。
【００３０】
本考案の機械製本書籍１の製造には、市販の上製本の製造ラインが使用される。まず、上製本の仕様と同様に、本文７及び見返し６の背にＰＵＲ糊を塗布し、皺紙（背部材８）を接着し、丸みだし行程により丸背状態の本体２を作成する（図４）。図５に示すように、その後の上製ライン上に、一対のノズル式の糊付け装置１２を設置し、本体２の両側から縦目に沿って直線上に糊付けを行う。この時、背部材８から５ミリ以内の範囲で直線状に接着剤が塗布されているので、表紙を開いたときに背部材８が見えることがない。そして、吸引装置で吸付し、フィンガー装置を利用して上方から表紙９を提供し、本体２に表紙９を押圧して相互に接着させる。この時に本体と表紙が接着されないよう、上製ラインの接着ローラーに糊は塗布されない。このような治具の設置及び上製ラインの調整を経ることにより、一つの製本ラインにより本考案の製本書籍を作成することが可能である。
【符号の説明】
【００３１】
１    機械製本書籍
２    本体
３    丸背
４    きき紙
５    遊び紙
６    見返し
７    本文
８    背部材
９    表紙
１０  小口側
１１  天地側
１２  ノズル式の糊付け装置
【図１】
0003187371.tif 000003
【図２】
0003187371.tif 000004
【図３】
0003187371.tif 000005
【図４】
0003187371.tif 000006
【図５】
0003187371.tif 000007